(57)【要約】【課題】クリック時に発生するボールの衝突音を低減し、組立作業性を改善可能な回動操作ユニットおよび回動操作ユニットの組み立て方法を提供すること。【解決手段】凹凸形状が形成された外縁部を備えた回動部材と、外縁部と当接するように付勢される転動部材と、回動部材を回動可能に保持するとともに、転動部材の回動部材の回転方向への移動を規制する第１の規制部と、回動部材の回動部材の回転軸に平行な第１の方向への移動を規制する第２の規制部と、が形成された保持部材と、を有し、回動部材には、転動部材の第１の方向とは反対方向の第２の方向への移動を規制し、回動部材の回転軸に近づくにつれ、第２の規制部に近づくように形成された第３の規制部を備えている。【選択図】図３
2016109786.tif 000002
【特許請求の範囲】
【請求項１】
凹凸形状が形成された外縁部を備えた回動部材と、
前記外縁部と当接するように付勢される転動部材と、
前記回動部材を回動可能に保持するとともに、前記転動部材の前記回動部材の回転方向への移動を規制する第１の規制部と、前記回動部材の前記回動部材の回転軸に平行な第１の方向への移動を規制する第２の規制部と、が形成された保持部材と、を有し、
前記回動部材には、前記転動部材の前記第１の方向とは反対方向の第２の方向への移動を規制し、前記回動部材の回転軸に近づくにつれ、前記第２の規制部に近づくように形成された第３の規制部を備えていることを特徴とする回動操作ユニット。
【請求項２】
前記外縁部は、弾性部材で形成されることを特徴とする請求項１に記載の回動操作ユニット。
【請求項３】
前記第３の規制部は、弾性部材で形成されることを特徴とする請求項１または２に記載の回動操作ユニット。
【請求項４】
前記転動部材が前記外縁部の凹部に向かって付勢されているとき、前記外縁部の弾性変形量は、前記第３の規制部の弾性変形量よりも小さいことを特徴とする請求項３に記載の回動操作ユニット。
【請求項５】
請求項１から４のいずれか１項に記載の回動操作ユニットを備えた電子機器。
【請求項６】
凹凸形状が形成された外縁部を備えた回動部材と、
前記外縁と当接するように付勢される転動部材と、
前記回動部材を回動可能に保持し、前記転動部材の前記回動部材の回転方向への移動を規制する第１の規制部と、前記回動部材の前記回動部材の回転軸に平行な第１の方向への移動を規制する第２の規制部と、が形成された保持部材と、を有し、
前記回動部材には、前記転動部材の前記第１の方向とは反対方向の第２の方向への移動を規制し、前記回動部材の回転軸に近づくにつれ、前記第２の規制部に近づくように形成された第３の規制部を備えている回動操作ユニットの組み立て方法であって、
前記保持部材に前記回動部材を回動可能に固定するステップと、
前記転動部材を前記保持部材に組み込むステップと、を有することを特徴とする回動操作ユニットの組み立て方法。
【発明の詳細な説明】
【技術分野】
【０００１】
本発明は、回動操作ユニットに関し、特にボールと凹凸形状が形成されたクリック部材を有する回動操作ユニットに関する。
【背景技術】
【０００２】
従来、デジタルカメラのような撮像装置においては、撮像パラメータ等の調節を行うために回転式のダイヤル型の操作部材を備えるものがある。そのような操作部材において、非連続的なパラメータ調節を行う用途のものには回転操作時にクリック力を発生させるものが一般的である。特許文献１では、操作ダイヤルに連動して回転する外縁部に凹凸部を備えた円盤状のクリック部材と、クリック部材の凹凸部に付勢されたボールとで構成され、ボールが凹凸を乗り越える負荷の変動によりクリック力を発生させる操作部材を開示している。
【先行技術文献】
【特許文献】
【０００３】
【特許文献１】特開平８−９５１１２号公報
【発明の概要】
【発明が解決しようとする課題】
【０００４】
しかしながら、特許文献１に開示された従来技術では、クリック時にクリック部材とボールが衝突する音や、ボールをガイドする保持部材の保持壁にボールが衝突する音が発生し、品位が損なわれてしまうという問題があった。
【０００５】
また、クリック機構を組み立てる際にバネの付勢力でボールが飛び出しやすいため、組立作業性が良くないといった問題もある。
【０００６】
このような課題を鑑みて、本発明は、クリック時に発生するボールの衝突音を低減し、組立作業性を改善可能な回動操作ユニットおよび回動操作ユニットの組み立て方法を提供することを目的とする。
【課題を解決するための手段】
【０００７】
本発明の一側面としての回動操作ユニットは、凹凸形状が形成された外縁部を備えた回動部材と、前記外縁部と当接するように付勢される転動部材と、前記回動部材を回動可能に保持するとともに、前記転動部材の前記回動部材の回転方向への移動を規制する第１の規制部と、前記回動部材の前記回動部材の回転軸に平行な第１の方向への移動を規制する第２の規制部と、が形成された保持部材と、を有し、前記回動部材には、前記転動部材の前記第１の方向とは反対方向の第２の方向への移動を規制し、前記回動部材の回転軸に近づくにつれ、前記第２の規制部に近づくように形成された第３の規制部を備えていることを特徴とする。
【０００８】
本発明の他の側面としての回動操作ユニットの組み立て方法は、凹凸形状が形成された外縁部を備えた回動部材と、前記外縁と当接するように付勢される転動部材と、前記回動部材を回動可能に保持し、前記転動部材の前記回動部材の回転方向への移動を規制する第１の規制部と、前記回動部材の前記回動部材の回転軸に平行な第１の方向への移動を規制する第２の規制部と、が形成された保持部材と、を有し、前記回動部材には、前記転動部材の前記第１の方向とは反対方向の第２の方向への移動を規制し、前記回動部材の回転軸に近づくにつれ、前記第２の規制部に近づくように形成された第３の規制部を備えている回動操作ユニットの組み立て方法であって、前記保持部材に前記回動部材を回動可能に固定するステップと、前記転動部材を前記保持部材に組み込むステップと、を有することを特徴とする。
【発明の効果】
【０００９】
本発明によれば、クリック時に発生するボールの衝突音を低減し、組立作業性を改善可能な回動操作ユニットおよび回動操作ユニットの組み立て方法を提供することができる。
【図面の簡単な説明】
【００１０】
【図１】実施例１のダイヤルユニットがデジタルカメラ本体に取り付けられた状態を示す斜視図およびダイヤルユニット単体の斜視図である。
【図２】実施例１のダイヤルユニットの分解斜視図である。
【図３】実施例１のダイヤルユニットの断面図である。
【図４】実施例２のダイヤルユニットの断面図である。
【発明を実施するための形態】
【００１１】
以下、本発明の実施例について、図面を参照しながら詳細に説明する。各図において、同一の部材については同一の参照番号を付し、重複する説明は省略する。本実施形態では電子機器の一例としての撮像装置に組み込まれた回動操作ユニットについて説明するが、本発明の回動操作ユニットは各種の電子機器に適用可能である。
【実施例１】
【００１２】
図１（ａ）は、回動操作ユニットの一例であるダイヤルユニット２がデジタルカメラ本体１に組みつけられた状態を示す斜視図、図１（ｂ）はダイヤルユニット２の斜視図である。図１（ａ）に示されるように、デジタルカメラ本体１の上部に取り付けられたダイヤル３をユーザーが左右に回転させることで撮像パラメータを調節することができる。図１（ｂ）に示されるように、ダイヤル３の上部は、ダイヤル保持部材４から露出している。
【００１３】
図２は、ダイヤルユニット２の分解斜視図である。ダイヤル３は、ダイヤル保持部材４を挟んでクリック部材（回動部材）５にビスによって固定される。ダイヤル３はダイヤル保持部材４に回動可能に保持されているので、ユーザーがダイヤル３を回転させると、ダイヤル３の回転量と同じだけクリック部材５も回転する。ブラシ６は、クリック部材５に形成された樹脂ボスを熱変形させる熱溶着でクリック部材５に固定される。フレキシブル基板７はフレキシブル基板カバー８に位置決めされ、フレキシブル基板カバー８はダイヤル保持部材４にビスによって固定される。
【００１４】
フレキシブル基板カバー８がダイヤル保持部材４に固定されると、ブラシ６の接触部６ａが弾性変形しながらフレキシブル基板７に圧接する。フレキシブル基板７には複数の接点を持つパターンが形成されており、ブラシ６の回転によって３種類の導通が順番に切り替わる。その切り替わり方に応じ、ダイヤル３の回転方向および回転量が検出される。ダイヤル保持部材４には、ボール保持部４１が一体的に形成されている。ダイヤル３およびクリック部材５がダイヤル保持部材４に固定された後、ボール（転動部材）９がボール保持部４１に配置される。バネ部材１０は、ボール保持部４１に挿入され、ボール９をクリック部材５に当接させる。
【００１５】
図３（ａ）は、ダイヤル３の回転軸に垂直であり、ボール保持部４１を通る平面によるダイヤルユニット２の断面図である。ボール保持部４１には、後述するように、ボール９の移動を規制する第１の規制部である第１の壁４１ａと第２の壁４１ｂが形成されている。第１の壁４１ａと第２の壁４１ｂとの間隔は、ボール９の径に嵌合する寸法となっている。すなわち、第１および第２の壁４１ａ，４１ｂとボール９との隙間はほぼ０である。バネ部材１０は、ボール９をクリック部材５に向かって付勢する。ボール保持部４１の形状は、ボール９がクリック部材５の略中心に向かうように形成されている。クリック部材５の外縁部５ａは、凹凸形状になっている。ダイヤル３が解放されている状態では、クリック部材５は、外縁部５ａの凹凸形状の凹部にボール９が収まるような位置で安定している。このとき、ボール９は、凹部の両側の２点でクリック部材５と接触している。
【００１６】
ユーザーがダイヤル３を回転させると、クリック部材５も回転し、ボール９は凹凸形状の凸部を乗り越える。その際、バネ部材１０が圧縮され、その負荷変動がユーザーにクリック力として伝わる。ボール９が凸部を乗り越える際、凹部に衝突するので、衝突音が発生してしまう。本実施例では、クリック部材５の外縁部５ａは、弾性部材のエラストマーで形成され、材質が樹脂の中央部分５ｂとは２色成型により一体的に形成されている。そのため、ボール９がクリック部材５に衝突することで発生する衝突音は、従来の樹脂や金属で形成されたクリック部材に比べ低減される。
【００１７】
また、ボール９は、クリック部材５の回転によりボール保持部４１の壁に垂直な力を受け、第１および第２の壁４１ａ，４１ｂの間で振動するので、衝突音が発生してしまう。本実施例では、ボール保持部４１の第１および第２の壁４１ａ，４１ｂとボール９との隙間はほぼ０であるので、両壁の間でのボール９の振動も極力抑えられている。
【００１８】
図３（ｂ）は、図３（ａ）と同じダイヤル３の位置において、ダイヤル３の回転軸およびボール９の中心を通る平面によるダイヤルユニット２の断面図である。ボール保持部４１には、クリック部材５の回転軸に平行な第１の方向への移動を規制する第３の壁（第２の規制部）が形成されている。クリック部材５の外縁部５ａには、第３の壁（第２の規制部）４１ｃに対向し、クリック部材５の回転軸に平行な第１の方向とは反対方向の第２の方向への移動を規制する第４の壁（第３の規制部）が形成されている。第４の壁５ｃは、弾性部材のエラストマーで形成されており、ダイヤル３の回転中心に近付くにつれて第３の壁４１ｃに近付くような傾斜形状になっている。ボール９は、図３（ａ）で示した凹部での２点に加え、第４の壁５ｃとも１点で接触している。すなわち、ボール９がクリック部材５の凹凸形状の凹部に安定して位置しているとき、ボール９は３点でクリック部材５と接触している。
【００１９】
従来、ボール保持部４１の第３の壁４１ｃに対向する位置にフレキシブル基板カバー８等の別部材を配置することで、ダイヤル回転軸方向のボール保持を行っていた。そのため、従来のダイヤルユニット２の組立では、ダイヤル保持部材４にクリック部材５を固定した後、ボール９とバネ部材１０を取り付け、最後にフレキシブル基板カバー８等の別部材を配置していた。そのため、別部材を配置する前にバネ部材１０の圧縮力でボール９が飛び出してしまうことがあった。本実施例では、ダイヤル保持部材４にクリック部材５を固定した後、ボール９とバネ部材１０を取り付けると、第４の壁５ｃによってボール９のボール保持部４１からの飛び出しを押さえることが可能である。そのため、作業性の良い組み立てを行うことができる。
【００２０】
また、クリック部材５が回転してボール９が凸部を乗り越える際に、ボール９はダイヤル３の回転軸方向へ振動するので、衝突音が発生してしまう。従来のように、ボール９が第３の壁４１ｃと別部材との間で保持されていると、第１および第２の壁４１ａ，４１ｂとの隙間のように、同一部品内での寸法管理ではないので、ボール９と、第３の壁４１ｃおよび別部材との間には隙間ができやすい。結果として、ボール９が振動して、衝突音を発生させやすい。本実施例では、第３の壁４１ｃとクリック部材５に形成された第４の壁５ｃとの間で、すなわち、ダイヤル３に垂直な方向において、ボール９は保持されている。第４の壁５ｃはダイヤル３の回転中心に近付くにつれて第３の壁４１ｃに近付くように傾いているので、ボール９が凹部に落ち込むとボール９と第３および第４の壁４１ｃ，５ｃとの隙間は０になる。そのため、ボール９はダイヤル３の回転軸方向へ振動できないので、衝突音が低減される。また、上述したように、第４の壁５ｃも弾性部材で形成されており、衝突音低減の効果はさらに高められている。
【実施例２】
【００２１】
本実施例の構成は第１の実施例と基本的には同じで、図３（ｂ）に示したダイヤル３の回転軸およびボール９の中心を通る平面によるダイヤルユニット２の断面図のみが異なる。
【００２２】
図４は、図３（ａ）と同じダイヤル３の位置において、ダイヤル３の回転軸およびボール９の中心を通る平面によるダイヤルユニット２の断面図である。図４では、ボール９が第４の壁５０ｃに干渉し、第４の壁５０ｃが弾性変形をしている。実施例１では、ボール９による凹部の弾性変形量と第４の壁５ｃの弾性変形量をほぼ同等としている。本実施例では、ボール９による凹部の弾性変形量に対し、第４の壁５０ｃの弾性変形量が大きくなるように第４の壁５０ｃをダイヤル３の回転軸から外径側にシフトさせている。こうすることで、ボール９と第４の壁５０ｃとの接触がより積極的に行われた後、ボール９は凹部に接触して安定した位置に収まる。そのため、実施例１に比べ、ダイヤル３の回転軸方向のボール衝突音の低減効果をさらに高めることができる。
【００２３】
以上、本発明の好ましい実施形態について説明したが、本発明はこれらの実施形態に限定されず、その要旨の範囲内で種々の変形及び変更が可能である。
【符号の説明】
【００２４】
４      ダイヤル保持部材（保持部材）
４１ａ  第１の壁（第１の規制部）
４１ｂ  第２の壁（第１の規制部）
４１ｃ  第３の壁（第２の規制部）
５      クリック部材
５ａ    外縁部
５ｃ    第４の壁（第３の規制部）
９      ボール（転動部材）
【図１】
2016109786.tif 000003
【図２】
2016109786.tif 000004
【図３】
2016109786.tif 000005
【図４】
2016109786.tif 000006